(57)【要約】【課題】結婚式等の、所定時間行われるイベントでは、事前に用意された物品がその参加者に記念品等として配られているが、イベントの事前に用意された物品では、その物品にイベント自体の実際の雰囲気等を反映させることができず、後にその物品から直接的に参加者にそのイベントの雰囲気やイベント中の出来事を想起させることが難しい。【解決手段】受注者端末２は、印刷物の製造及び配達の注文を受注すると、その注文で指定された印刷データが発生する時刻、印刷物の個数及び印刷物の配達時刻に基づいて、印刷データが発生する時刻よりも前に、製版業者端末４、印刷業者端末５及び配達業者端末６に対して製版の依頼、印刷物製造の依頼、印刷物配達の依頼を送信する。【選択図】  図１
2004171428.tif 000002
【特許請求の範囲】
【請求項１】
注文者から印刷物の製造及び配達の注文を受注する受注者端末と、上記印刷データが発生する場所に設置され発生した印刷データを受注者端末に送信する印刷データ発生側端末と、印刷データに基づいて印刷の原版を製版する製版業者に備えられた製版業者端末と、原版を用いて印刷物を製造する印刷業者に備えられた印刷業者端末と、印刷物を配達する配達業者に備えられた配達業者端末とを有し、受注者端末と、印刷データ発生側端末、製版業者端末、印刷業者端末及び配達業者端末とが相互にネットワークを介して接続されたネットワーク印刷物受注システムであって、
上記受注者端末は、少なくとも印刷物に印刷する印刷データの発生時刻、印刷物の個数及び印刷物の配達時刻及び配達場所が指定された印刷物の製造及び配達の注文を受注する受注手段と、該受注した注文で指定された印刷データが発生する時刻、印刷物の個数及び印刷物の配達時刻に基づいて、印刷データが発生する時刻よりも前に、上記製版業者端末、印刷業者端末及び配達業者端末に対してそれぞれ、製版終了時刻を含む、後に発生する印刷データに基づく製版の依頼、印刷物製造終了時刻を含む、製版された原板を用いた印刷物の製造の依頼、印刷物配達終了時刻を含む、製造された印刷物の配達の依頼を送信する依頼送信手段と、上記印刷データ発生側端末から印刷データが送信されてきた場合に上記製版業者端末に対して印刷データを送信する印刷データ送信手段を備えていることを特徴とするネットワーク印刷物受注システム。
【請求項２】
注文者が少なくとも印刷物に印刷する印刷データ、印刷物の個数及び印刷物の配達時刻及び配達場所を指定して印刷物の製造及び配達の注文を送信する注文者端末と、該注文者端末からの注文を受信する受注者端末と、印刷データに基づいて印刷の原版を製版する製版業者に備えられた製版業者端末と、原版を用いて印刷物を製造する印刷業者に備えられた印刷業者端末と、印刷物を配達する配達業者に備えられた配達業者端末とを有し、受注者端末と、注文者端末、製版業者端末、印刷業者端末及び配達業者端末とが相互にネットワークを介して接続されたネットワーク印刷物受注システムであって、
上記受注者端末は、上記受信した注文で指定された印刷データ、印刷物の個数及び印刷物の配達時刻に基づいて、上記製版業者端末、印刷業者端末、配達業者端末に対してそれぞれ、印刷データ及び該印刷データに基づく製版の依頼、該製版された原板を用いた印刷物の製造の依頼、該製造された印刷物の配達の依頼を送信する依頼送信手段とを備えていることを特徴とするネットワーク印刷物受注システム。
【請求項３】
注文者から印刷物の製造及び配達の注文を受注する受注者端末と、上記印刷データが発生する場所に設置され発生した印刷データを受注者端末に送信する印刷データ発生側端末と、印刷データに基づいて印刷の原版を製版する複数の製版業者にそれぞれ備えられた製版業者端末と、原版を用いて印刷物を製造する複数の印刷業者にそれぞれ備えられた印刷業者端末と、印刷物を配達する複数の配達業者にそれぞれ備えられた配達業者端末とを有し、受注者端末と、印刷データ発生側端末、製版業者端末、印刷業者端末及び配達業者端末とが相互にネットワークを介して接続されたネットワーク印刷物受注システムであって、
上記受注者端末は、上記製版業者端末を備えた製版業者に関するデータベース、上記印刷業者端末を備えた印刷業者に関するデータベース及び上記配達業者端末を備えた配達業者に関するデータベースを備えると共に、少なくとも印刷物に印刷する印刷データの発生時刻、印刷物の個数、印刷物の配達時刻及び配達場所が指定された印刷物の製造及び配達の注文を受注する受注手段と、該受注した注文で指定された印刷物の配達場所に基づいて、上記３つのデータベースを検索して製版業者、印刷業者及び配送業者を選択する選択手段と、該受注した注文で指定された印刷データが発生する時刻、印刷物の個数及び印刷物の配達時刻に基づいて、印刷データが発生する時刻よりも前に、上記選択手段で選択された製版業者の製版業者端末、印刷業者の印刷業者端末、配達業者の配達業者端末に対してそれぞれ、後に発生する印刷データに基づく製版の依頼、該製版された原板を用いた印刷物の製造の依頼、該製造された印刷物の配達の依頼を送信する依頼送信手段と、上記印刷データ発生側端末から印刷データが送信されてきた場合に上記製版業者端末に対して印刷データを送信する印刷データ送信手段を備えていることを特徴とするネットワーク印刷物受注システム。
【請求項４】
注文者が少なくとも印刷物に印刷する印刷データ、印刷物の個数、印刷物の配達時刻及び配達場所を指定して印刷物の製造及び配達の注文を送信する注文者端末と、該注文者端末からの注文を受信する受注者端末と、印刷データに基づいて印刷の原版を製版する複数の製版業者にそれぞれ備えられた製版業者端末と、原版を用いて印刷物を製造する複数の印刷業者にそれぞれ備えられた印刷業者端末と、印刷物を配達する複数の配達業者にそれぞれ備えられた配達業者端末とを有し、受注者端末と、注文者端末、製版業者端末、印刷業者端末及び配達業者端末とが相互にネットワークを介して接続されたネットワーク印刷物受注システムであって、
上記受注者端末は、上記製版業者端末を備えた製版業者に関するデータベース、上記印刷業者端末を備えた印刷業者に関するデータベース及び上記配達業者端末を備えた配達業者に関するデータベースを備えると共に、上記受信した注文で指定された印刷物の配達場所に基づいて、上記３つのデータベースを検索して製版業者、印刷業者及び配送業者を選択する選択手段と、注文者端末からの注文で指定された印刷データ、印刷物の個数及び印刷物の配達時刻に基づいて、上記選択手段で選択された製版業者の製版業者端末、印刷業者の印刷業者端末及び配送業者の配達業者端末に対してそれぞれ、印刷データ及び該印刷データに基づく製版の依頼、該製版された原板を用いた印刷物の製造の依頼、該製造された印刷物の配達の依頼を送信する依頼送信手段とを備えていることを特徴とするネットワーク印刷物受注システム。
【請求項５】
上記製版業者端末を備えた製版業者に関するデータベース、上記印刷業者端末を備えた印刷業者に関するデータベース及び上記配達業者端末を備えた配達業者に関するデータベースは、それぞれ、製版業者、印刷業者及び配達業者の所在地データを包含していることを特徴とする請求項３又は請求項４に記載のネットワーク印刷物受注製造システム。
【請求項６】
上記製版業者端末、印刷業者端末及び配達業者端末は、上記受注者端末から送信されてきた製版依頼、印刷物製造依頼及び配達依頼を受信する依頼受信手段と、該受信した依頼を受任するかしないかの旨を上記受注者端末に対して送信する受任送信手段とを備えていることを特徴とする請求項１から請求項５までのいずれか１項に記載のネットワーク印刷物受注システム。
【請求項７】
上記受注者端末は、受信した印刷データを加工する印刷データ加工手段を備え、該加工した印刷データを製版業者端末に対して送信することを特徴とする請求項１から請求項６までのいずれか１項に記載のネットワーク印刷物受注製造システム。
【発明の詳細な説明】
【０００１】
【発明の属する技術分野】
本発明は、ネットワークを介して印刷物の製造及び配達を受注し、その製造及び配達を行うネットワーク印刷物受注製造システムに関する。
【０００２】
【従来の技術】
従来、所定時間行われるイベント、例えば結婚式等では、その結婚式の事前に用意された物品がその参加者に記念品等として配られている。
【０００３】
【発明が解決しようとする課題】
しかし、上記のようにイベントの事前に用意された物品では、その物品にイベント自体の実際の雰囲気等を反映させることができない。そのため、後にその物品から直接的に参加者にそのイベントの雰囲気やイベント中の出来事を想起させることが難しかった。
【０００４】
そこで本発明は、上記の問題点に鑑み、イベントの雰囲気等をより反映した記念品をイベントの参加者に配布できるように、印刷物の製造及び配達を受注し、その製造及び配達を行うネットワーク印刷物受注製造システムを提供することを課題とする。
【０００５】
【課題を解決するための手段】
上記課題を解決するために本発明は、注文者から印刷物の製造及び配達の注文を受注する受注者端末と、上記印刷データが発生する場所に設置され発生した印刷データを受注者端末に送信する印刷データ発生側端末と、印刷データに基づいて印刷の原版を製版する製版業者に備えられた製版業者端末と、原版を用いて印刷物を製造する印刷業者に備えられた印刷業者端末と、印刷物を配達する配達業者に備えられた配達業者端末とを有し、受注者端末と、印刷データ発生側端末、製版業者端末、印刷業者端末及び配達業者端末とが相互にネットワークを介して接続されたネットワーク印刷物受注システムであって、上記受注者端末は、少なくとも印刷物に印刷する印刷データの発生時刻、印刷物の個数及び印刷物の配達時刻及び配達場所が指定された印刷物の製造及び配達の注文を受注する受注手段と、該受注した注文で指定された印刷データが発生する時刻、印刷物の個数及び印刷物の配達時刻に基づいて、印刷データが発生する時刻よりも前に、上記製版業者端末、印刷業者端末及び配達業者端末に対してそれぞれ、製版終了時刻を含む、後に発生する印刷データに基づく製版の依頼、印刷物製造終了時刻を含む、製版された原板を用いた印刷物の製造の依頼、印刷物配達終了時刻を含む、製造された印刷物の配達の依頼を送信する依頼送信手段と、上記印刷データ発生側端末から印刷データが送信されてきた場合に上記製版業者端末に対して印刷データを送信する印刷データ送信手段を備えていることを特徴とする。
【０００６】
これによれば、イベント主催者等の注文者は、イベント開催に先立って印刷物の製造及び配達の注文をし、この注文を受注者端末が受注する。そして、受注者端末は、依頼送信手段によって、イベント中の印刷データが発生する時刻よりも前に、製版業者端末、印刷業者端末及び配達業者端末に対してそれぞれ、製版の依頼、印刷物製造の依頼、印刷物配達の依頼を送信する。そして、イベント中に印刷データが発生すると、その印刷データは印刷データ発生側端末によって受注者端末に送信され、印刷データを受信した受注者端末は印刷データ送信手段によって、製版業者端末に対して印刷データを送信する。その後、製版業者は、製版依頼に含まれていた製版終了時刻に従って製版を行い、印刷業者は、印刷物製造依頼に含まれていた印刷物製造終了時刻に従って印刷物の製造を行い、配達業者は、印刷物配達依頼に含まれていた印刷物配達終了時刻に従って印刷物をイベント会場等の配達指定先に配達する。
【０００７】
また、上記受注者端末は、印刷データと印刷物の個数及び印刷物の配達時刻及び配達場所とが指定された印刷物の製造及び配達の注文を注文者端末から受注するようにしても良い。
【０００８】
また、上記製版業者端末、印刷業者端末及び配達業者端末は、それぞれ複数の製版業者、印刷業者及び配達業者に備えられるようにし、受注者端末が、それら製版業者、印刷業者及び配達業者に関するデータベースを備えると共に、受注した注文で指定された印刷物の配達場所に基づいて、上記３つのデータベースを検索して製版業者、印刷業者及び配送業者を選択する選択手段を備えるようにしても良い。
【０００９】
また、上記製版業者端末を備えた製版業者に関するデータベース、上記印刷業者端末を備えた印刷業者に関するデータベース及び上記配達業者端末を備えた配達業者に関するデータベースは、それぞれ、製版業者、印刷業者及び配達業者の所在地データを包含しているのが好ましい。また、上記製版業者端末、印刷業者端末及び配達業者端末は、上記受注者端末から送信されてきた製版依頼、印刷物製造依頼及び配達依頼を受信する依頼受信手段と、該受信した依頼を受任するかしないかの旨を上記受注者端末に対して送信する受任送信手段とを備えているのが好ましい。また、上記受注者端末は、受信した印刷データを加工する印刷データ加工手段を備え、該加工した印刷データを製版業者端末に対して送信するのが好ましい。
【００１０】
【発明の実施の形態】
図１を参照して、１は、ネットワークを介して印刷物の製造及び配達を受注し、その製造及び配達を行うためのネットワーク印刷物受注製造システムである。
【００１１】
ネットワーク印刷物受注製造システム１は受注者端末２を備えており、この受注者端末２は、注文者がパソコンや電話のトーン信号等の所定のインターフェイスを用いて行った印刷物の製造及び配達の注文を受信するためのものである。
【００１２】
結婚式場、パーティ会場、コンサートホール及び野球場等のイベント会場Ｅには、印刷データ発生側端末３が備えられており、この印刷データ発生側端末３は、所定のネットワークＮを介して受注者端末２と接続されており、相互にデータを送受信することができるようになっている。この印刷データ発生側端末３は、イベント会場Ｅで行われるイベント中に発生する印刷データを受注者端末２に対して送信するためのものである。
【００１３】
また、図２を参照して、複数の製版業者Ｍは、それぞれ製版業者端末４を備えており、この製版業者端末４は、所定のネットワークＮを介して受注者端末２と接続され、相互にデータを送受信することができるようになっている。この製版業者端末４は、受注者端末２から製版依頼及び印刷データを受信し、依頼を受任する場合にその旨を受注者端末２に対して送信するためのものである。
【００１４】
また、複数の印刷業者Ｐは、それぞれ印刷業者端末５を備えており、この印刷業者端末５は、所定のネットワークＮを介して受注者端末２と接続され、相互にデータを送受信することができるようになっている。この印刷業者端末５は、受注者端末２から印刷依頼を受信し、依頼を受任する場合にその旨を受注者端末２に対して送信するためのものである。
【００１５】
また、複数の配達業者Ｄは、それぞれ配達業者端末６を備えており、この配達業者端末６は、所定のネットワークＮを介して受注者端末２と接続され、相互にデータを送受信することができるようになっている。この配達業者端末６は、受注者端末２から配達依頼を受信し、依頼を受任する場合にその旨を受注者端末２に対して送信するためのものである。
【００１６】
上記受注者端末２には、上記製版業者端末４を備えた製版業者Ｍに関するデータベース７、上記印刷業者端末５を備えた印刷業者Ｐに関するデータベース８及び上記配達業者端末６を備えた配達業者Ｄに関するデータベース９が備えられている。これらデータベース７、８、９には、製版業者Ｍ、印刷業者Ｐ、配達業者Ｄの所在地データ、各作業のスピード及び各作業のキャパシティが入力されている。
【００１７】
次に、図３及び図４を参照して、本実施形態における処理手順を説明する。
【００１８】
まず、イベントの主催者等、イベントで配布する印刷物を注文する注文者は、パソコンや電話のトーン信号等の所定のインターフェイスを用いて受注者端末２に対して印刷物の製造及び配達の注文を送信する。送信された注文は受注者端末２によって受信され、受注が完了する（受注手段、Ｓ１）。この注文では、被印刷媒体の種類、その被印刷媒体に印刷される印刷データの発生時刻、印刷物の個数、印刷物の配達時刻及び配達場所が指定される。この指定される被印刷媒体の種類としては、例えばイベントが結婚式披露宴の場合、引き出物袋が指定される。また、印刷される印刷データの発生時刻としては、引き出物袋に結婚式披露宴参加者の寄せ書きを印刷する場合にはその寄せ書きが終わる時刻が指定され、ケーキカットの瞬間の写真を印刷する場合には、そのケーキカットが行われる時刻が指定される。また、印刷物の個数としては、披露宴参加者の人数分が指定され、印刷物の配達時刻及び配達場所としては、結婚式披露宴の終了３０分前及び結婚式場が指定される。
【００１９】
注文を受注した受注者端末２は、注文で指定された印刷物の個数、印刷物の配達場所及び印刷データの発生時刻から印刷物の配達時刻までの時間に基づいて、データベース７、８、９を検索し、所定の条件に基づいて、この注文の印刷物の原版の製版、印刷物の印刷、印刷物の配達をそれぞれ依頼する製版業者Ｍ、印刷業者Ｐ、配達業者Ｄを選択する（選択手段、Ｓ２）。ここで、製版業者Ｍ、印刷業者Ｐ、配達業者Ｄの選択方法を具体的に説明すると、まず上記印刷物の配達場所に近い所在地データの製版業者Ｍ、印刷業者Ｐ、配達業者Ｄがリストアップされ、そのリストアップされた製版業者Ｍ、印刷業者Ｐ、配達業者Ｄの中から、印刷物の個数のキャパシティを有し、印刷データの発生時刻から印刷物の配達時刻までの時間から割り出された各作業の割り当て時間内に各作業を行いうるスピードを有する製版業者Ｍ、印刷業者Ｐ、配達業者Ｄがリストアップされる。この段階で複数の業者がリストアップされた場合には、印刷物の配達場所に近い所在地データの製版業者Ｍ、印刷業者Ｐ、配達業者Ｄが選択される。
【００２０】
続いて受注者端末２は、選択した製版業者Ｍの製版業者端末４、印刷業者Ｐの印刷業者端末５、配達業者Ｄの配達業者端末６に対してそれぞれ、後に発生する印刷データに基づく製版の依頼、該製版された原板を用いた印刷物の製造の依頼、該製造された印刷物の配達の依頼を送信する（依頼送信手段、Ｓ３）。製版業者端末４に送信される依頼には、製版する印刷データを製版業者端末４に対して送信する日付及び時刻、印刷データの発生時刻から印刷物の配達時刻までの時間から割り出された製版終了時刻が含まれている。また、印刷業者端末５に送信される依頼には、被印刷媒体の種類、印刷物の個数、製版された原版が送られてくる時刻、印刷データの発生時刻から印刷物の配達時刻までの時間から割り出された印刷終了時刻が含まれている。また、また、配達業者端末６に送信される依頼には、印刷物の個数から割り出された印刷物を梱包した場合の容量、印刷業者Ｐの所在地、印刷業者Ｐの印刷終了時刻、印刷データの発生時刻から印刷物の配達時刻までの時間から割り出された配達終了時刻が含まれている。
【００２１】
受注者端末２からの各依頼は、それぞれ製版業者端末４、印刷業者端末５、配達業者端末６によって受信される（依頼受信手段、Ｓ１０）。依頼を受信した各端末４、５、６の製版業者Ｍ、印刷業者Ｐ、配達業者Ｄは、依頼を受任するかしないかを判断し、その判断した結果を各端末４、５、６から受注者端末２に対して送信する（受任送信手段、Ｓ１１）。
【００２２】
受注者端末２は、依頼を受任しない旨を端末４、５、６から受信した場合には（Ｓ４）、Ｓ２に戻り、依頼を受任しなかった業者の業種について、データベース７、８、９を検索して業者を選択する。そして、Ｓ２からＳ４までの処理は、受注者端末２が依頼を受任する旨を端末４、５、６から受信するまで（Ｓ５）行われる。
【００２３】
結婚式場等のイベント会場Ｅでイベントが行われ、そのイベント中に印刷データが発生すると（例えば結婚式披露宴参加者の寄せ書き）、そのイベント会場Ｅに備えられた印刷データ発生側端末３から印刷データが送信され、その印刷データを受注者端末２が受信する（Ｓ６）。具体的には、印刷したいものが画の場合には、スキャナやフィルムスキャナ等で画像をスキャニングし、画像データとして送信するか、デジタルカメラで撮影した画像データをそのまま送信する。印刷したいものがテキストの場合には、適当な文書ファイルに変換して送信する。
【００２４】
印刷データを受信した受注者端末２は、その印刷データを適宜加工する（加工手段、Ｓ７）。この印刷データの加工は、印刷データが被印刷媒体に印刷された場合の見栄えを考慮したデザイン加工と、印刷データを製版作業に移行しやすくするためのデータ形式加工とを含む。
【００２５】
受注者端末２は、加工した印刷データを製版業者端末４に対して送信する（印刷データ送信手段、Ｓ８）。
【００２６】
製版業者Ｍは、製版業者端末４によって印刷データを受信すると（Ｓ１２）、その印刷データについて製版作業を行い、受任した依頼で指定されていた製版終了時刻までに製版作業を終了する。
【００２７】
製版された原版は印刷業者Ｐに送られ、印刷業者Ｐは、その原版を用いて印刷作業を行う。具体的には、受任した依頼で指定されていた種類の被印刷媒体に対して、指定された個数だけ、印刷終了時刻までに印刷作業を終了する。印刷された印刷物は適宜梱包される。
【００２８】
梱包された印刷物は、配達業者Ｄによって出荷され、受任した依頼で指定された配達終了時刻までに、イベント会場Ｅ、例えば結婚式場に配達される。
【００２９】
配達された印刷物、例えば、結婚式披露宴中にその参加者によって作成さてた寄せ書きが印刷された引き出物袋は、結婚式披露宴からの帰り際の参加者に対して、引き出物を入れた状態で配られる。
【００３０】
なお、上記実施の形態では、印刷データが発生する前に印刷物の印刷及び配達を受注しているが、これに替えて、図５に示すように、注文者が少なくとも印刷物に印刷する印刷データ、印刷物の個数、印刷物の配達時刻及び配達場所を指定して印刷物の製造及び配達の注文を送信する注文者端末１０を備えるようにし、受注者端末２は、印刷データと印刷物の個数及び印刷物の配達時刻及び配達場所とが指定された印刷物の製造及び配達の注文を注文者端末から受注するようにしても良い。
【００３１】
なお、本発明は上記実施形態のものに限定されるものではなく、必要に応じて種々変更することが可能である。
【００３２】
【発明の効果】
以上の説明から明らかなように、本発明は、イベント主催者等の注文者は、イベント開催に先立って印刷物の製造及び配達の注文をし、この注文を受注者端末が受注する。そして、受注者端末は、依頼送信手段によって、イベント中の印刷データが発生する時刻よりも前に、製版業者端末、印刷業者端末及び配達業者端末に対してそれぞれ、製版の依頼、印刷物製造の依頼、印刷物配達の依頼を送信する。そして、イベント中に印刷データが発生すると、その印刷データは印刷データ発生側端末によって受注者端末に送信され、印刷データを受信した受注者端末は印刷データ送信手段によって、製版業者端末に対して印刷データを送信する。その後、製版業者は、製版依頼に含まれていた製版終了時刻に従って製版を行い、印刷業者は、印刷物製造依頼に含まれていた印刷物製造終了時刻に従って印刷物の製造を行い、配達業者は、印刷物配達依頼に含まれていた印刷物配達終了時刻に従って印刷物をイベント会場等の配達指定先に配達する。
【００３３】
したがって、イベントの後にその物品から直接的に参加者にそのイベントの雰囲気やイベント中の出来事を想起させることが可能な、イベントの雰囲気等をより反映した記念品をイベントの参加者に配布できるようになる。
【図面の簡単な説明】
【図１】本発明の実施形態に係るネットワーク印刷物受注システムの概略図
【図２】（ａ）製版業者端末を示す図
（ｂ）印刷業者端末を示す図
（ｃ）配達業者端末を示す図
【図３】受注者端末の処理処理手順を示すフローチャート図
【図４】（ａ）製版業者端末の処理処理手順を示すフローチャート図、    （ｂ）印刷業者端末・配達業者端末の処理処理手順を示すフローチャート図
【図５】本発明の他の実施形態に係るネットワーク印刷物受注システムの概略図
【符号の説明】
２  受注者端末
３  印刷データ発生側端末
４  製版業者端末
５  印刷業者端末
６  配達業者端末
【図１】
2004171428.tif 000003
【図２】
2004171428.tif 000004
【図３】
2004171428.tif 000005
【図４】
2004171428.tif 000006
【図５】
2004171428.tif 000007